(57)【要約】【課題】画像読取装置の設置面積を小さく抑えつつ、操作性をより向上させる。【解決手段】画像読取装置１は、原稿Ｓを積載する第１の原稿トレイ２５と、原稿Ｓを給紙する第１の給紙口２１と、原稿Ｓを排紙口２４に向けて搬送するための搬送経路２３と、開閉可能に取付けられた原稿トレイ２６と、第２の原稿トレイ２６に積載された原稿Ｓを給紙する第２の給紙口２２と、を備える原稿搬送部２０と、原稿Ｓの画像を読み取るキャリッジ１１と、を備え第２の給紙口２２より給紙された原稿Ｓはストレート搬送経路部２３Ｃから排紙口２４に向けて搬送され、第２の原稿トレイ２６は、原稿Ｓを挿入するための挿入口２６Ａを有し、第２の原稿トレイ２６を閉じた状態で、挿入口２６Ａが第２の給紙口２２と対向する位置となることにより、挿入口２６Ａを通じて第２の給紙口２２より原稿Ｓを給紙可能となるよう構成した。【選択図】図４
2017098951.tif 000002
【特許請求の範囲】
【請求項１】
画像の読み取り対象となる原稿を積載する第１の原稿トレイと、
前記第１の原稿トレイに積載された前記原稿を給紙する第１の給紙口と、
前記第１の給紙口より前記原稿を排紙口に向けて搬送するための搬送経路と、
前記搬送経路の中途部近傍に開閉可能に取付けられ、開いた状態で前記原稿を積載する第２の原稿トレイと、
前記第２の原稿トレイに積載された前記原稿を給紙する第２の給紙口と、を備える原稿搬送部と、
前記搬送経路を搬送中の前記原稿の画像を読み取る読取ユニットと、を備えた画像読取装置において、
前記第２の給紙口より給紙された前記原稿は前記搬送経路の中途部以降の後半部から前記排紙口に向けて搬送され、
前記第２の原稿トレイは、前記原稿を挿入するための挿入口を有し、前記第２の原稿トレイを閉じた状態で、前記挿入口は前記第２の給紙口と対向するよう設けられていることにより、前記挿入口を通じて前記第２の給紙口より前記原稿を給紙可能であることを特徴とする画像読取装置。
【請求項２】
前記搬送経路の前記中途部以降の後半部は、略平面状であり、
前記第２の原稿トレイは、開いた状態で前記原稿を載置するための可動式のガイドを備え、
前記原稿を載置する載置面と前記中途部以降の前記搬送経路がなす平面とが略同一平面上に存在することを特徴とする請求項１に記載の画像読取装置。
【請求項３】
前記第２の原稿トレイは前記原稿搬送部との連結部分で前記原稿の挿入方向に垂直な方向の両端部の２箇所および、前記挿入口の前記原稿の挿入方向に垂直な方向の両端部の２箇所の計４箇所でヒンジにより前記原稿搬送部に連結されていることを特徴とする請求項１に記載の画像読取装置。
【請求項４】
前記第２の原稿トレイを閉じた状態または開いた状態のいずれの状態においても、前記ガイドが前記挿入口の幅を規制し、前記原稿をガイドすることを特徴とする請求項１に記載の画像読取装置。
【発明の詳細な説明】
【技術分野】
【０００１】
本発明は、開閉可能な原稿トレイを備えた画像読取装置に関する。
【背景技術】
【０００２】
画像読取装置において、クレジットカードなどの固い媒体を搬送するために専用の搬送口（挿入口）や搬送経路が設けられ、また、カードの重ね置きや大きな原稿を置く等の用途に、専用の搬送口に開閉可能な原稿トレイが設置される構成が既に知られている。
【０００３】
しかし、従来のカード搬送可能な装置では、原稿トレイを開いてから搬送を開始するため、装置の設置面積を大きくとる必要があり、また、原稿トレイを開かないと搬送開始できず、操作性が良くないという問題があった。
【０００４】
例えば、特許文献１には、装置の設置面積を抑え、十分な長さの原稿トレイを画像読取装置に持たせるという目的で、原稿トレイを折り畳みでき、折り畳んだ状態でも原稿トレイからの給紙が可能な構成が開示されている。
【０００５】
特許文献１に記載の画像読取装置は、原稿トレイがトレイ本体と可動板部とから構成され、装置の設置面積に余裕があるときはトレイ本体に対し可動板部を開いて２つの載置面で原稿を支持し給紙口に原稿を給紙する。また、装置の設置面積に限りがあるときは、可動板部をトレイ本体に対し対向するように閉じ合わせ、可動板部とトレイ本体との間に形成される挿入口から原稿を挿入し、給紙口に原稿を給紙する。これにより、装置の設置面積の縮小および操作性の維持を図っている。
【発明の概要】
【発明が解決しようとする課題】
【０００６】
しかしながら、特許文献１に記載の画像読取装置は、例えば、カード等の固い媒体を搬送する専用の搬送経路を有しておらず、カード等の原稿を装置の設置面積を増やさず、操作性を維持しつつ搬送することはできない。また、原稿トレイを半分に折り畳む構成であり、装置本体に対して原稿トレイを閉じる構成にはなっていないため、設置面積を必要なレベルまで充分に小さくできない場合も有り得る。
【０００７】
本発明はこのような問題を解決するためになされたもので、カード用の給紙口に原稿トレイが設置された画像読取装置において、装置の設置面積を小さく抑えつつ、操作性をより向上させることを目的とする。
【課題を解決するための手段】
【０００８】
本発明に係る画像読取装置は、上記目的を達成するため、画像の読み取り対象となる原稿を積載する第１の原稿トレイと、前記第１の原稿トレイに積載された前記原稿を給紙する第１の給紙口と、前記第１の給紙口より前記原稿を排紙口に向けて搬送するための搬送経路と、前記搬送経路の中途部近傍に開閉可能に取付けられ、開いた状態で前記原稿を積載する第２の原稿トレイと、前記第２の原稿トレイに積載された原稿を給紙する第２の給紙口と、を備える原稿搬送部と、前記搬送経路を搬送中の前記原稿の画像を読み取る読取ユニットと、を備えた画像読取装置において、前記第２の給紙口より給紙された前記原稿は前記搬送経路の中途部以降の後半部から前記排紙口に向けて搬送され、前記第２の原稿トレイは、前記原稿を挿入するための挿入口を有し、前記第２の原稿トレイを閉じた状態で、前記挿入口は前記第２の給紙口と対向するよう設けられていることにより、前記挿入口を通じて前記第２の給紙口より前記原稿を給紙可能であることを特徴とする。
【発明の効果】
【０００９】
本発明によれば、画像読取装置の設置面積を小さく抑えつつ、原稿トレイを閉じた状態で搬送開始可能であり操作性をより向上させることができる。
【図面の簡単な説明】
【００１０】
【図１】本発明の第１の実施の形態に係る画像読取装置の構成を示す横断面図である。
【図２】本発明の第１の実施の形態に係る画像読取装置の構成を示す横断面図である。
【図３】本発明の第１の実施の形態に係る画像読取装置の第２の原稿トレイを閉じた    状態を示す斜視図である。
【図４】本発明の第１の実施の形態に係る画像読取装置の第２の原稿トレイを閉じた    状態で原稿を挿入している状態を示す斜視図である。
【図５】本発明の第１の実施の形態に係る画像読取装置の第２の原稿トレイを開いた    状態を示す斜視図である。
【図６】本発明の第２の実施の形態に係る画像読取装置の第２の原稿トレイを開いた    状態を示す斜視図である。
【図７】本発明の第２の実施の形態に係る画像読取装置の第２の原稿トレイを開いた    状態で原稿を載置した状態を示す斜視図である。
【図８】本発明の第２の実施の形態に係る画像読取装置の第２の原稿トレイを開いた    状態を示す拡大斜視図である。
【図９】本発明の第２の実施の形態に係る画像読取装置の第２の原稿トレイを開いた    状態を示す拡大斜視図である。
【図１０】本発明の第３の実施の形態に係る画像読取装置の第２の原稿トレイを開い    た状態を示す斜視図である。
【図１１】本発明の第３の実施の形態に係る画像読取装置の第２の原稿トレイを閉じ    た状態で原稿を挿入している状態を示す斜視図である。
【発明を実施するための形態】
【００１１】
以下、本発明の実施の形態を図面を参照して説明する。
【００１２】
（第１の実施の形態）
図１および図２を参照して、本発明の実施の形態に係る画像読取装置１の全体構成について説明する。図１は第２の原稿トレイ２６を開いた状態を、図２は第２の原稿トレイ２６を閉じた状態を示している。
【００１３】
図１に示すように、画像読取装置１は、画像読取部１０と原稿搬送部２０とを含んで構成されている。
【００１４】
画像読取部１０は、キャリッジ１１、フラットベッドコンタクトガラス１５、白基準シート１６、ＤＦコンタクトガラス１９等を含んで構成されている。画像読取装置１は、自動搬送中に原稿画像を読み取るＤＦスキャナモード（搬送原稿読取りモード）と、平坦なコンタクトガラス上に載置された原稿の画像を読み取るフラットベッドスキャナモード（載置原稿読取りモード）と、に切替え可能に構成されている。フラットベッドスキャナモードにおいて、画像読取部１０は、フラットベッドコンタクトガラス１５上の原稿（例えば原稿シート、厚紙、本等）の画像面に光を照射して、その画像面からの反射光を画像信号に変換することにより原稿画像を読み取ることができる。
【００１５】
また、ＤＦスキャナモードにおいて、原稿搬送部２０は、原稿載置台である第１の原稿トレイ２５上に積載された原稿束から原稿Ｓを１枚ずつ分離して搬送経路２３内に搬入し、搬送経路２３に沿って搬送する。そして、その搬送中、原稿Ｓが、その搬送方向の上流側部分から順次部分的に画像読取部１０の上面側のＤＦコンタクトガラス１９に対面するようになっている。すなわち、画像読取装置１は、原稿搬送部２０により搬送される原稿Ｓ上の画像を画像読取部１０のＤＦコンタクトガラス１９上で順次読取りすることにより、ＤＦスキャナの機能を発揮できるようになっている。
【００１６】
キャリッジ１１は画像読取部１０内に副走査方向（図中左右方向）に沿って設けられたキャリッジレール１４上を移動するようになっている。キャリッジ１１は図中左端側の点線で示す傾斜部ホームポジションから右端側までの間を往復移動する。キャリッジ１１には裏面用読取素子１３が搭載され、フラットベッドコンタクトガラス１５を通して各原稿Ｓの裏面の画像を読み取るようになっている。また、ＤＦコンタクトガラス１９の上方には表面用読取素子１２が設けられ、搬送される原稿Ｓ上の表面の画像を読み取るようになっている。キャリッジ１１と表面用読取素子１２および裏面用読取素子１３は本発明に係る読取ユニットを構成する。
【００１７】
キャリッジ１１の位置を検知するセンサとして、傾斜部ホームポジションセンサ１８とＦＢＳホームポジションセンサ１７がキャリッジレール１４の下方に設けられている。傾斜部ホームポジションセンサ１８は、所定の角度θで傾斜しているＤＦコンタクトガラス１９の下方にキャリッジ１１があるか否かを検知する。ＦＢＳホームポジションセンサ１７は、フラットベッドコンタクトガラス１５の左端部の下方にキャリッジ１１があるか否かを検知する。白基準シート１６はフラットベッドコンタクトガラス１５の上方に設置され、シェーディング補正のための白基準情報を読み取る。
【００１８】
原稿搬送部２０は、画像読取部１０の上部に設けられ、第１の原稿トレイ２５と、第１の給紙口２１と搬送経路２３と第２の原稿トレイ２６と第２の給紙口２２と排紙口２４等を含んで構成されている。
【００１９】
第１の原稿トレイ２５は画像の読取対象となる原稿Ｓを積載し、特に普通紙等の反転搬送が可能な原稿Ｓが積載される。第１の原稿トレイ２５に積載された原稿Ｓは第１の給紙口２１より給紙され、各搬送ローラ２７ａ、２７ｂ、２７ｃ、２７ｄにより搬送経路２３上に搬送され、最終的に排紙口２４より排出される。
【００２０】
搬送経路２３は、第１の給紙口２１から搬送ローラ２７ｂまでの前半経路部２３Ａと、原稿Ｓが反転する搬送ローラ２７ｂから搬送ローラ２７ｃが設けられた区間であり搬送経路２３全体の中途部分の中途経路部２３Ｂと、搬送ローラ２７ｃ以降の側面視で原稿Ｓが略直線状に搬送される略平面状のストレート搬送経路部２３Ｃとから構成されている。原稿Ｓは図１中の搬送経路２３の矢印方向に搬送される。
【００２１】
第２の原稿トレイ２６は、中途経路部２３Ｂの近傍に画像読取装置１に対して開閉可能に取り付けられ、開いた状態で原稿Ｓを積載するようになっている。第２の原稿トレイ２６には、主としてカード等の反転搬送では搬送できない固い原稿を積載するが普通紙等他の原稿を積載しても構わない。なお、ここにいうカードとは、ＩＤカード（身分証明書カード）、交通系カード等である。第２の給紙口２２は、第２の原稿トレイ２６に積載された原稿Ｓを給紙するようになっている。
【００２２】
第２の給紙口２２より給紙された原稿Ｓは、中途経路部２３Ｂ以降のストレート搬送経路部２３Ｃから排紙口２４に向けて搬送される。ストレート搬送経路部２３Ｃは本発明に係る後半部を構成する。図１に示す第２の原稿トレイ２６を開いた状態では、第２の原稿トレイ２６の積載面とストレート搬送経路部２３Ｃは略同一平面上にあるため、第２の原稿トレイ２６上に積載されたカード等の固い原稿Ｓを曲げることなく排紙口２４まで搬送させることができる。
【００２３】
図２に示す第２の原稿トレイ２６を閉じた状態では、第２の原稿トレイ２６は画像読取装置１の外面に密着するので図１に示す状態と比較して装置の設置面積を小さくすることが可能となる。また、後述するように第２の原稿トレイ２６には挿入口２６Ａが設けられており第２の原稿トレイ２６を閉じた状態であっても第２の給紙口２２より原稿Ｓを給紙可能となっている。
【００２４】
次に図３〜図５を用いて第２の原稿トレイ２６の詳細について説明する。
【００２５】
図３は原稿搬送部２０の斜視図であり、第２の原稿トレイ２６を閉じた状態を示している。第２の原稿トレイ２６はカード等の原稿Ｓを挿入するための挿入口２６Ａを有している。挿入口２６Ａは、第２の原稿トレイ２６を閉じた状態で第２の給紙口２２と対向するよう設けられているので、図４に示すように挿入口２６Ａを通じて第２の給紙口２２より原稿Ｓが給紙可能となる。挿入口２６Ａの幅、大きさは図３に示すサイズに必ずしも限定されず、他のサイズであってもよい。
【００２６】
また、第２の原稿トレイ２６を閉じた状態のままでも挿入口２６Ａを通じて第２の給紙口２２より原稿Ｓが給紙可能であるので、給紙の際に第２の原稿トレイ２６を開く手間が省けることからユーザの操作性が向上している。
【００２７】
図５は原稿搬送部２０の斜視図であり、第２の原稿トレイ２６を開いた状態を示している。この状態で、ユーザは原稿Ｓを原稿トレイ２６に積載して、第２の給紙口２２より給紙する。第２の給紙口２２の幅はカード等よりも幅の広い原稿Ｓを給紙することができるようトレイ幅に近いサイズとなっている。第２の給紙口２２より給紙する原稿Ｓはカード等の固い媒体が主となることから搬送する経路は曲がることのないストレート搬送経路部２３Ｃとなる（図１参照）。このため、第２の原稿トレイ２６の原稿載置面の傾斜角度は、ストレート搬送経路部２３Ｃの傾斜角度と略等しくなっており、原稿トレイ２６の原稿載置面とストレート搬送経路部２３Ｃは略同一平面上に存在するようになっている。これにより、第２の原稿トレイ２６上に積載された原稿Ｓを曲げることなく排紙口２４まで搬送させることができる。
【００２８】
以上のように、本実施の形態に係る画像読取装置１は、画像の読み取り対象となる原稿Ｓを積載する第１の原稿トレイ２５と、第１の原稿トレイ２５に積載された原稿Ｓを給紙する第１の給紙口２１と、第１の給紙口２１より原稿Ｓを排紙口２４に向けて搬送するための搬送経路２３と、搬送経路２３の中途経路部２３Ａの近傍に開閉可能に取付けられ、開いた状態で原稿Ｓを積載する第２の原稿トレイ２６と、第２の原稿トレイ２６に積載された原稿Ｓを給紙する第２の給紙口２２と、を備える原稿搬送部２０と、搬送経路２３を搬送中の原稿Ｓの画像を読み取るキャリッジ１１と、を備えている。
【００２９】
また、第２の給紙口２２より給紙された原稿Ｓはストレート搬送経路部２３Ｃから排紙口２４に向けて搬送され、第２の原稿トレイ２６は、原稿Ｓを挿入するための挿入口２６Ａを有し、第２の原稿トレイ２６を閉じた状態で、挿入口２６Ａが第２の給紙口２２と対向する位置となることにより、挿入口２６Ａを通じて第２の給紙口２２より原稿Ｓを給紙可能である。
【００３０】
この構成により、第２の原稿トレイ２６を画像読取装置１に対して閉じた状態であっても挿入口２６Ａが第２の給紙口２２と対向するよう設けられているため、第２の給紙口２２は塞がれず、挿入口２６Ａを通じて原稿Ｓを給紙可能となっている。したがって、第２の原稿トレイ２６を開いた状態と比較して装置の設置面積を小さく抑えることができる。また、第２の原稿トレイ２６を開かなくても第２の給紙口２２より給紙が可能であることから、ユーザが第２の原稿トレイ２６を開く手間が省け、操作性が向上している。
【００３１】
（第２の実施の形態）
次に、図６〜図９を参照して、本発明の第２の実施の形態について説明する。
【００３２】
本実施の形態に係る画像読取装置は、第１の実施の形態とは、第２の原稿トレイ２６にガイド等を設けた点で異なるが、他の構成は基本的に同様である。したがって、同一の構成要素については、図１〜図４に示した第１の実施形態と同一の符号を用いて説明し、特に相違点について説明する。
【００３３】
図６は原稿搬送部２０の斜視図であり、第２の原稿トレイ２６を開いた状態を示している。第２の原稿トレイ２６は、挿入口２６Ａとガイド３１とガイドレール３２と把手３３とトレイヒンジ３４と挿入口ヒンジ３５とを有している。
【００３４】
ガイド３１は第２の原稿トレイ２６上に設けられ、突状部３１ａと半円部３１ｂで構成されている。突状部３１ａは原稿Ｓの搬送方向に平行となるよう２つ設けられ、載置された原稿Ｓが第２の給紙口２２に真っ直ぐに挿入されるよう搬送方向と垂直な方向を両側からガイドして支える。ガイド３１は原稿幅に応じてガイドレール３２上を搬送方向と垂直な方向に動くことができる可動式となっている。半円部３１ｂは対向する各突状部３１ａの内側の中央付近に設けられており、載置された原稿Ｓを下から支えるようになっている（図７参照）。
【００３５】
ガイドレール３２は、第２の原稿トレイ２６の搬送方向と垂直な方向に直線状に設けられ、ガイド３１を載せて移動させるようになっている。把手３３は第２の原稿トレイ２６の挿入口２６Ａが設けられた側と反対側の端部に半円状に第２の原稿トレイ２６をくり抜いて形成されており、ユーザが第２の原稿トレイ２６を閉状態から開状態にする際に把手３３をつかむことで、ユーザが第２の原稿トレイ２６を容易に開状態とすることができる。
【００３６】
把手３３は大きい方が第２の原稿トレイ２６を開きやすいが、原稿Ｓの幅よりも把手３３の幅を大きくしてしまうと、原稿Ｓを載置したときの原稿Ｓの安定性が悪くなる。また、ガイド３１を移動、特にガイド幅が小さくなるよう移動させたときに把手３３と干渉しないようにする必要がある。これらを考慮して把手３３のサイズは図６に示す程度のものとしているが、原稿幅より幅が小さく、ガイド３１と干渉しなければ他のサイズであってもよい。
【００３７】
トレイヒンジ３４は第２の原稿トレイ２６と原稿搬送部２０本体との連結部分の原稿Ｓの挿入方向に垂直な方向の両端に計２つ設けられており、第２の原稿トレイ２６が原稿搬送部２０本体に対して回動することで開閉可能な構成としている。挿入口ヒンジ３５は挿入口２６Ａの原稿Ｓの挿入方向に垂直な方向の両端部に計２つ設けられている。このように第２の原稿トレイ２６には計４つのヒンジが設けられ原稿搬送部２０に連結されている。
【００３８】
図８はトレイヒンジ３４と挿入口ヒンジ３５を見やすくするよう図７を拡大した図である。図９は、挿入口ヒンジ３５が設けられている様子を示した図であり、説明のため、突き出し部２６Ｂを省略している。図９のように挿入口ヒンジ３５は設けられている。そして、挿入口ヒンジ３５は、突き出し部２６Ｂの軸受部２６Ｃに図８に示すように挿入されている。突き出し部２６Ｂは、原稿トレイ２６を開いた状態で原稿搬送部２０の原稿トレイ２６側の端面より原稿搬送方向上流側に突き出た部位である。軸受部２６Ｃは挿入口ヒンジ３５の軸受となる部位である。
【００３９】
また、第２の原稿トレイ２６を開いた状態で挿入口２６Ａの開口部を小さくすることが、原稿Ｓの載置の安定性の観点から望ましい。図８に示すように２つの挿入口ヒンジ３５
の間に位置する突き出し部２６Ｂが第２の原稿トレイ２６側に突き出している。そのため、原稿トレイ２６が開くと、原稿トレイ２６が倒れ、突き出し部分２６Ｂが挿入口２６Ａの一部と重なり、挿入口２６Ａの開口部は小さくなる。
【００４０】
本実施の形態においてトレイヒンジ３４および挿入口ヒンジ３５を設けたのは、第２の原稿トレイ２６に挿入口２６Ａを設けたことに伴い第２の原稿トレイ２６の強度が弱くなる懸念があるので、ヒンジの設置数を増やすことで強度を高めるためである。
【００４１】
以上のように、本実施の形態に係る画像読取装置１は、ストレート搬送経路部２３Ｃは、略平面状であり、第２の原稿トレイ２６は、開いた状態で原稿Ｓを載置するための可動式のガイド３１を備え、原稿Ｓを載置する載置面とストレート搬送経路部２３Ｃがなす平面とが略同一平面上に存在するようになっている。
【００４２】
この構成により、ガイド３１が第２の原稿トレイ２６に載置された原稿Ｓをガイドするので、原稿Ｓが小さいカード等であっても歪ませることなく搬送させることができる。また、原稿Ｓを載置する載置面とストレート搬送経路部２３Ｃがなす平面とが略同一平面上に存在するので、原稿Ｓがカード等の固いものであっても折り曲げることなく搬送させることができる。また、ガイド３１は可動式であるので、原稿Ｓのサイズに応じてガイド３１のガイド幅を設定し適切に原稿Ｓをガイドすることができる。
【００４３】
また、第２の原稿トレイ２６は原稿搬送部２０との連結部分で原稿Ｓの挿入方向に垂直な方向の両端部の２箇所および、挿入口２６Ａの原稿Ｓの挿入方向に垂直な方向の両端部の２箇所の計４箇所でヒンジにより原稿搬送部２０に連結されるようにしてもよい。この構成により、第２の原稿トレイ２６のヒンジの設置数が増えるため第２の原稿トレイ２６の強度を高めることができる。
【００４４】
（第３の実施の形態）
次に、図１０と図１１を参照して、本発明の第３の実施の形態について説明する。
【００４５】
本実施の形態に係る画像読取装置は、第２の実施の形態とは、第２の原稿トレイ２６に設けたガイドが異なるが、他の構成は基本的に同様である。したがって、同一の構成要素については、図６〜図９に示した第２の実施形態と同一の符号を用いて説明し、特に相違点について説明する。
【００４６】
第２の原稿トレイ２６上に設けられたガイド３６は、突状部３６ａと半円部３６ｂとで構成されている。図１０に示すように載置された原稿Ｓをガイドする突状部３６ａは第２の実施の形態におけるものと異なり、挿入口２６Ａ側の端部が原稿搬送部２０本体側まで伸びている。これにより図１１に示すように第２の原稿トレイ２６を閉じた状態でも、挿入口２６Ａから挿入する原稿Ｓを突状部３６ａがガイドすることができる。この際にガイド３６は原稿Ｓの原稿幅に応じた位置にガイドレール３２上を移動し挿入口２６に挿入可能な原稿Ｓの幅を規制するようになっている。第２の原稿トレイ２６を開いた状態でも第２の実施の形態における場合と同様に、突状部３６ａが原稿Ｓをガイドする。
【００４７】
以上のように、本実施の形態に係る画像読取装置１は、第２の原稿トレイ２６を閉じた状態または開いた状態のいずれの状態においても、ガイド３６が挿入口２６Ａの幅を規制し、原稿Ｓをガイドするようになっている。この構成により挿入口２６Ａのサイズによらず、第２の原稿トレイ２６が閉じた状態で任意のサイズの原稿Ｓをガイドすることができる。また、第２の原稿トレイ２６が閉じた状態で操作することで画像読取装置１の設置面積を小さく抑えつつ、第２の原稿トレイ２６を開く手間が省け、操作性を向上させることができる。
【００４８】
以上、本発明の実施の形態について説明したが、本発明は上述の実施の形態に限定されるものではなく、本発明の要旨を逸脱しない範囲で種々の変更を加え得ることは勿論である。
【００４９】
本発明によれば、画像読取装置の設置面積を小さく抑えつつ、操作性をより向上させることができ画像読取装置全般に有用である。
【符号の説明】
【００５０】
１  画像読取装置
１１  キャリッジ（読取ユニット）
１２  表面用読取素子（読取ユニット）
１３  裏面用読取素子（読取ユニット）
２０  原稿搬送部
２１  第１の給紙口
２２  第２の給紙口
２３  搬送経路
２３Ａ  前半経路部
２３Ｂ  中途経路部（中途部）
２３Ｃ  ストレート搬送経路部（後半部）
２４  排紙口
２５  第１の原稿トレイ
２６  第２の原稿トレイ
２６Ａ  挿入口
３１、３６  ガイド
３４  トレイヒンジ（ヒンジ）
３５  挿入口ヒンジ（ヒンジ）
Ｓ  原稿
【先行技術文献】
【特許文献】
【００５１】
【特許文献１】特開２０００−１２８３６７号公報
【図１】
2017098951.tif 000003
【図２】
2017098951.tif 000004
【図３】
2017098951.tif 000005
【図４】
2017098951.tif 000006
【図５】
2017098951.tif 000007
【図６】
2017098951.tif 000008
【図７】
2017098951.tif 000009
【図８】
2017098951.tif 000010
【図９】
2017098951.tif 000011
【図１０】
2017098951.tif 000012
【図１１】
2017098951.tif 000013